(57)【要約】【課題】　見る予定をしていたテレビ放映番組を都合により見られなくなった場合であっても、後から遅延再生できるとともに、記録部分を見ている時間に放映されている部分についても、見ることが可能な非駆動型遅延再生テレビ装置及びビデオ装置を提供する。【解決手段】　見る予定をしていたテレビ放映番組を都合により見られなくなった場合であっても、後から遅延再生できる非駆動型遅延再生テレビ装置であって、テレビ本体部１と、エンドレス記録／再生部２と、記録／再生制御部３と、を備える。エンドレス記録／再生部２は、ラップアラウンドに記録し再生する。【選択図】　　　　図１
2004040836.tif 000002
【特許請求の範囲】
【請求項１】
　見る予定をしていたテレビ放映番組を都合により見られなくなった場合であっても、後から遅延再生できる非駆動型遅延再生テレビ装置であって、
　テレビ本体部と、エンドレス記録／再生部と、記録／再生制御部と、を備えることを特徴とする非駆動型遅延再生テレビ装置。
【請求項２】
　請求項１記載の非駆動型遅延再生テレビ装置において、
　上記エンドレス記録／再生部は、ラップアラウンドに記録し再生する記録／再生部であることを特徴とする非駆動型遅延再生テレビ装置。
【請求項３】
　請求項１又は２に記載の非駆動型遅延再生テレビ装置において、
　番組放映途中に、番組最初から、そして、番組最後まで連続して見ることができる機能を有することを特徴とする非駆動型遅延再生テレビ装置。
【請求項４】
　請求項１〜３のいずれか１項に記載の非駆動型遅延再生テレビ装置において、
　上記エンドレス記録／再生部は記録と既記録部分の再生とを並行して実行することができる記録／再生部であり、そして、エンドレス記録／再生部の既記録部分を再生する再生部を備えることを特徴とする非駆動型遅延再生テレビ装置。
【請求項５】
　請求項１〜４のいずれか１項に記載の非駆動型遅延再生テレビ装置において、
　　上記エンドレス記録／再生部は、１つ以上のメモリを有することを特徴とする非駆動型遅延再生テレビ装置。
【請求項６】
　請求項１〜５のいずれか１項に記載の非駆動型遅延再生テレビ装置において、
　上記エンドレス記録／再生部は、２以上のメモリを有することを特徴とする非駆動型遅延再生テレビ装置。
【請求項７】
　請求項１〜６のいずれか１項に記載の非駆動型遅延再生テレビ装置において、
　上記エンドレス記録／再生部は、フラッシュメモリ等の駆動部を持たないメモリを有することを特徴とする非駆動型遅延再生テレビ装置。
【請求項８】
　請求項１〜７のいずれか１項に記載の非駆動型遅延再生テレビ装置において、
　通信アダプタを備えることを特徴とする非駆動型遅延再生テレビ装置。
【請求項９】
　請求項１〜８のいずれか１項に記載の非駆動型遅延再生テレビ装置において、
　手動で記録開始時刻、記録チャンネル、記録開始等の指示ができる、又は、常時自動的に記録することができることを特徴とする非駆動型遅延再生テレビ装置。
【請求項１０】
　見る予定をしていたテレビ放映番組を都合により見られなくなった場合であっても、後から遅延再生できる非駆動型遅延再生ビデオ装置であって、
　ビデオ本体部と、エンドレス記録／再生部と、記録／再生制御部と、を備えることを特徴とする非駆動型遅延再生ビデオ装置。
【請求項１１】
　請求項１０記載の非駆動型遅延再生ビデオ装置において、
　上記エンドレス記録／再生部は、ラップアラウンドに記録し再生する記録／再生部であることを特徴とする非駆動型遅延再生ビデオ装置。
【請求項１２】
　請求項１０又は１１に記載の非駆動型遅延再生ビデオ装置において、
　番組放映途中に、番組最初から、そして、番組最後まで連続して見ることができる機能を有することを特徴とする非駆動型遅延再生ビデオ装置。
【請求項１３】
　請求項１０〜１２のいずれか１項に記載の非駆動型遅延再生ビデオ装置において、
　上記エンドレス記録／再生部は記録と既記録部分の再生とを並行して実行することができる記録／再生部であり、そして、エンドレス記録／再生部の既記録部分を再生する再生部を備えることを特徴とする非駆動型遅延再生ビデオ装置。
【請求項１４】
　請求項１０〜１３のいずれか１項に記載の非駆動型遅延再生ビデオ装置において、
　上記エンドレス記録／再生部は、１つ以上のメモリを有することを特徴とする非駆動型遅延再生ビデオ装置。
【請求項１５】
　請求項１０〜１４のいずれか１項に記載の非駆動型遅延再生ビデオ装置において、
　上記エンドレス記録／再生部は、２以上のメモリを有することを特徴とする非駆動型遅延再生ビデオ装置。
【請求項１６】
　請求項１０〜１５のいずれか１項に記載の非駆動型遅延再生ビデオ装置において、
　上記エンドレス記録／再生部は、フラッシュメモリ等の駆動部を持たないメモリを有することを特徴とする非駆動型遅延再生ビデオ装置。
【請求項１７】
　請求項１０〜１６のいずれか１項に記載の非駆動型遅延再生ビデオ装置において、
　通信アダプタを備えることを特徴とする非駆動型遅延再生ビデオ装置。
【請求項１８】
　請求項１０〜１７のいずれか１項に記載の非駆動型遅延再生ビデオ装置において、
　手動で記録開始時刻、記録チャンネル、記録開始等の指示ができる、又は、常時自動的に記録することができることを特徴とする非駆動型遅延再生ビデオ装置。
【発明の詳細な説明】
【技術分野】
【０００１】
　本発明は、非駆動型遅延再生テレビ装置及びビデオ装置であり、特に、番組記録を予約していなくとも、番組当初から再生して見ることができる非駆動型遅延再生テレビ装置及びビデオ装置に関する。
【背景技術】
【０００２】
　テレビで放映されている番組を都合により見られないとき、ビデオ装置又はビデオ機能付きのテレビ装置で記録し、後に記録部分を再生していた。しかしながら、例えば、午後８時から見たい番組が有っても、残業等で遅くなり、午後９時に帰宅したときは、ビデオ記録していないと途中からしか見ることができないか、又は、全く見ることができない。また、ビデオ記録していても、記録部分を再生すると、再生している時間に放映される部分は見ることも、そして、記録することもできないという問題が生じていた。
【発明の開示】
【発明が解決しようとする課題】
【０００３】
　本発明の目的は、従来の問題を解決することであり、見る予定をしていたテレビ放映番組を都合により見られなくなった場合であっても、後から遅延再生できるとともに、記録部分を見ている時間に放映されている部分についても、記録し後で見ることが可能な非駆動型遅延再生テレビ装置及びビデオ装置を提供することである。
【課題を解決するための手段】
【０００４】
　本発明は、見る予定をしていたテレビ放映番組を都合により見られなくなった場合であっても、後から遅延再生できる非駆動型遅延再生テレビ装置であって、テレビ本体部と、エンドレス記録／再生部と、記録／再生制御部と、を備える非駆動型遅延再生テレビ装置である。
【０００５】
　また、本発明は、上記エンドレス記録／再生部は、ラップアラウンドに記録し再生する記録／再生部である非駆動型遅延再生テレビ装置である。
【０００６】
　そして、本発明は、番組放映途中に、番組最初から、そして、番組最後まで連続して見ることができる機能を有する非駆動型遅延再生テレビ装置である。
【０００７】
　更に、本発明は、上記エンドレス記録／再生部は記録と既記録部分の再生とを並行して実行することができる記録／再生部であり、そして、エンドレス記録／再生部の既記録部分を再生する再生部を備える非駆動型遅延再生テレビ装置である。
【０００８】
　また、本発明は、上記エンドレス記録／再生部は、１つ以上のメモリを有する非駆動型遅延再生テレビ装置である。
【０００９】
そして、本発明は、上記エンドレス記録／再生部は、２以上のメモリを有する非駆動型遅延再生テレビ装置である。
【００１０】
　更に、本発明は、上記エンドレス記録／再生部は、フラッシュメモリ等の駆動部を持たないメモリを有する非駆動型遅延再生テレビ装置である。
【００１１】
　また、本発明は、通信アダプタを備える非駆動型遅延再生テレビ装置である。
【００１２】
　そして、本発明は、手動で記録開始時刻、記録チャンネル、記録開始等の指示ができる、又は、常時自動的に記録することができる非駆動型遅延再生テレビ装置である。
【００１３】
更に、本発明は、見る予定をしていたテレビ放映番組を都合により見られなくなった場合であっても、後から遅延再生できる非駆動型遅延再生ビデオ装置であって、ビデオ本体部と、エンドレス記録／再生部と、記録／再生制御部と、を備える非駆動型遅延再生ビデオ装置である。
【００１４】
また、本発明は、上記エンドレス記録／再生部は、ラップアラウンドに記録し再生する記録／再生部である非駆動型遅延再生ビデオ装置である。
【００１５】
　そして、本発明は、番組放映途中に、番組最初から、そして、番組最後まで連続して見ることができる機能を有する非駆動型遅延再生ビデオ装置である。
【００１６】
　更に、本発明は、上記エンドレス記録／再生部は記録と既記録部分の再生とを並行して実行することができる記録／再生部であり、そして、エンドレス記録／再生部の既記録部分を再生する再生部を備える非駆動型遅延再生ビデオ装置である。
【００１７】
　また、本発明は、上記エンドレス記録／再生部は、１つ以上のメモリを有する非駆動型遅延再生ビデオ装置である。
【００１８】
　そして、本発明は、上記エンドレス記録／再生部は、２以上のメモリを有する非駆動型遅延再生ビデオ装置である。
【００１９】
　更に、本発明は、上記エンドレス記録／再生部は、フラッシュメモリ等の駆動部を持たないメモリを有する非駆動型遅延再生ビデオ装置である。
【００２０】
　また、本発明は、通信アダプタを備える非駆動型遅延再生ビデオ装置である。
【００２１】
　そして、本発明は、手動で記録開始時刻、記録チャンネル、記録開始等の指示ができる、又は、常時自動的に記録することができる非駆動型遅延再生ビデオ装置である。
【発明の効果】
【００２２】
　本発明によれば、見る予定をしていたテレビ放映番組を都合により見られなくなった場合であっても、後から遅延再生できるとともに、記録部分を見ている時間に放映されている部分についても、見ることが可能な非駆動型遅延再生テレビ装置及びビデオ装置を得ることができる。
【発明を実施するための最良の形態】
【００２３】
　本発明を実施するための最良の形態を説明する。
　本発明の非駆動型遅延再生テレビ装置及びビデオ装置の実施例について、図１〜図３を用いて説明する。図１は、実施例の非駆動型遅延再生テレビ装置の説明図である。図２は、実施例１の非駆動型遅延再生テレビ装置のエンドレス記録／再生部の動作説明図である。図３は、実施例２の非駆動型遅延再生テレビ装置のエンドレス記録／再生部の動作説明図である。
【００２４】
　実施例１を説明する。本実施例の非駆動型遅延再生テレビ装置は、図１に示すように、テレビ本体部１と、エンドレス記録／再生部２と、記録／再生制御部３と、外部媒体記録／再生部４と、リモートコントロール７と、通信アダプタ部８と、を備えている。テレビ本体部１は、テレビ機能を実行する。エンドレス記録／再生部２は、１つ以上のメモリを有し、そして、例えばラップアラウンド記録方式を採用して、常時テレビ放映番組内容を記録しており、所定の時間ｔ、例えば３時間、経過すると最初の部分を消去し、その消去部分上に記録する。そのため、一定時間ｔだけさかのぼった過去の時点から記録した内容について、再生することが可能である。また、記録している間、記録終了となることはない。使用する媒体は非駆動型（静止型）であり、フラッシュメモリ等の媒体を駆動することなく記録する。記録／再生制御部３は、エンドレス記録／再生部２を制御する。外部媒体記録／再生部４は、外部媒体５を使用するとき、記録し再生する。外部媒体５は、エンドレス記録／再生部２と同様にテレビ放映番組内容を記録することができる。リモートコントロール７は、使用者からのテレビ装置への記録予約内容等の指示を送信する。通信アダプタ部８は、公衆回線を介して、外部にいる使用者が携帯電話機９等を使用し予約内容等の指示を受信し、テレビ本体部１等の制御信号に変換する。なお、本実施例の非駆動型遅延再生テレビ装置は、手動で記録開始時刻、記録チャンネル、記録開始等の指示ができるように、そして、常時自動的に記録することができるようにすることは可能である。
【００２５】
　実施例１の非駆動型遅延再生テレビ装置について、具体的に説明する。テレビ放映番組は、常時エンドレス記録／再生部２に記録されている。エンドレス記録／再生部２は、一定時間ｔ、例えば３時間、記録すると、容量がフルに記憶されることとなるが、ラップアラウンドして記憶することができる。このため、見る予定をしていたテレビ放映番組を都合により見られなくなった場合であっても、一定時間ｔ、例えば３時間、以内であれば、放映番組はエンドレス記録／再生部２に記録されているため、後から遅延して再生することができ、見る予定をしていたテレビ放映番組を実際に見ることが可能となる。図２において、エンドレス記録／再生部５は、まず、記録Ａを開始する。再生を開始する場合は、記録を続行したまま、最も古い記録部分から再生Ｂを行う。
【００２６】
　実施例２を説明する。本実施例の非駆動型遅延再生テレビ装置は、図１に示すように、テレビ本体部１、エンドレス記録／再生部２、記録制御部３、外部媒体記録／再生部４、リモートコントロール７、通信アダプタ部８を備えている。エンドレス記録／再生部２は、記録した内容を読出し、テレビ本体部１で再生する。エンドレス記録／再生部２は、実施例１とは相違しており、２つのメモリａ、ｂを有しており、そして、２つのメモリａ、ｂは、互いに独立して記録し再生することができる。なお、本実施例の非駆動型遅延再生テレビ装置も、手動で記録開始時刻、記録チャンネル、記録開始等の指示ができるように、そして、常時自動的に記録することができるようにすることは可能である。
【００２７】
　実施例２における非駆動型遅延再生テレビ装置は、実施例１と同様に、番組放映途中からでも、番組最初から、そして、番組放映最後まで見ることができる機能を有している。本実施例において、エンドレス記録／再生部２ｂのメモリａは、番組最初から記録する。使用者が帰宅して番組当初から再生すると、図３に示すように、メモリａは番組最初から再生するとともに、メモリｂは、以後の同一番組を並行的に記録する。２つのメモリａ、ｂは、互いに独立して記録し再生することができるからである。メモリａの記録部分をすべて再生すると、次にメモリｂの記録部分を再生する。その際、メモリａは、再度記録する。以下これを繰り返すことにより、番組放映途中からでも、番組最初から、そして、番組最後まで見ることができることとなる。なお、エンドレス記録／再生部２ｂのメモリは２以上有していれば、番組最初から番組放映最後まで見ることができる。
【００２８】
　以上、実施例１及び２として、非駆動型遅延再生テレビ装置で説明したが、テレビ装置等に接続して使用し、かつ、ビデオ本体部と、エンドレス記録／再生部、記録／再生制御部を備え、更に再生部を備える非駆動型遅延再生ビデオ装置でも、同様に、見る予定をしていたテレビ放映番組を都合により見られなくなった場合であっても、後から遅延再生できるとともに、記録部分を見ている時間に放映されている部分についても、見ることができる。
【図面の簡単な説明】
【００２９】
【図１】実施例１の非駆動型遅延再生テレビ装置の説明図。
【図２】実施例１の非駆動型遅延再生テレビ装置のエンドレス記録／再生部の動作説明図。
【図３】実施例２の非駆動型遅延再生テレビ装置のエンドレス記録／再生部の動作説明図。
【符号の説明】
【００３０】
　１　テレビ本体部
　２　エンドレス記録／再生部
　３　記録／再生制御部
　４　外部媒体記録／再生部
　５　外部媒体
　７　リモートコントロール
　８　通信アダプタ
【図１】
2004040836.tif 000003
【図２】
2004040836.tif 000004
【図３】
2004040836.tif 000005
【手続補正書】
【提出日】平成15年10月28日(2003.10.28)
【手続補正１】
【補正対象書類名】特許請求の範囲
【補正対象項目名】全文
【補正方法】変更
【補正の内容】
【特許請求の範囲】
【請求項１】
　ビデオ本体部と、エンドレス記録／再生部と、記録／再生制御部とを備え、見る予定をしていたテレビ放映番組を都合により見られなくなった場合であっても、後から遅延再生できる非駆動型遅延再生ビデオ装置であって、
　前記エンドレス記録／再生部は、互いに独立して記録し再生することができる２つのメモリを備え、その内の第１のメモリは、常時、エンドレスでテレビ放映番組を記録しており、操作者の指示により、現在放映中のテレビ放映番組を放映開始よりも遅延して見る際には、該第１のメモリへの記録を中止して番組最初からの再生を開始するようにしたメモリとして構成し、他の第２のメモリは、前記第１のメモリが再生を開始すると、記録を開始するようにしたメモリとして構成したことを特徴とする非駆動型遅延再生ビデオ装置。
【請求項２】
　請求項１に記載の非駆動型遅延再生ビデオ装置において、
　上記エンドレス記録／再生部は、フラッシュメモリ等の駆動部を持たないメモリを有することを特徴とする非駆動型遅延再生ビデオ装置。
【請求項３】
　請求項１又は２に記載の非駆動型遅延再生ビデオ装置において、
　通信アダプタを備えることを特徴とする非駆動型遅延再生ビデオ装置。
【請求項４】
　請求項１乃至３のいずれか１項に記載の非駆動型遅延再生ビデオ装置において、
　手動で記録開始時間、記録チャンネル、記録開始等の指示ができる、又は、常時自動的に記録することができることを特徴とする非駆動型遅延再生ビデオ装置。
【手続補正２】
【補正対象書類名】明細書
【補正対象項目名】全文
【補正方法】変更
【補正の内容】
【発明の詳細な説明】
【技術分野】
【０００１】
　本発明は、非駆動型遅延再生テレビ装置及びビデオ装置であり、特に、番組記録を予約していなくとも、番組当初から再生して見ることができる非駆動型遅延再生ビデオ装置に関する。
【背景技術】
【０００２】
　テレビで放映されている番組を都合により見られないとき、ビデオ装置又はビデオ機能付きのテレビ装置で記録し、後に記録部分を再生していた。しかしながら、例えば、午後８時から見たい番組が有っても、残業等で遅くなり、午後９時に帰宅したときは、ビデオ記録していないと途中からしか見ることができないか、又は、全く見ることができない。また、ビデオ記録していても、記録部分を再生すると、再生している時間に放映される部分は見ることも、そして、記録することもできないという問題が生じていた。
【発明の開示】
【発明が解決しようとする課題】
【０００３】
　本発明の目的は、従来の問題を解決することであり、見る予定をしていたテレビ放映番組を都合により見られなくなった場合であっても、後から遅延再生できるとともに、記録部分を見ている時間に放映されている部分についても、記録し後で見ることが可能な非駆動型遅延再生ビデオ装置を提供することである。
【課題を解決するための手段】
【０００４】
　本発明は、ビデオ本体部と、エンドレス記録／再生部と、記録／再生制御部とを備え、見る予定をしていたテレビ放映番組を都合により見られなくなった場合であっても、後から遅延再生できる非駆動型遅延再生ビデオ装置であって、前記エンドレス記録／再生部は、互いに独立して記録し再生することができる２つのメモリを備え、その内の第１のメモリは、常時、エンドレスでテレビ放映番組を記録しており、操作者の指示により、現在放映中のテレビ放映番組を放映開始よりも遅延して見る際には、該第１のメモリへの記録を中止して番組最初からの再生を開始するようにしたメモリとして構成し、他の第２のメモリは、前記第１のメモリが再生を開始すると、記録を開始するようにしたメモリとして構成した非駆動型遅延再生ビデオ装置である。
【０００５】
　また、本発明は、上記エンドレス記録／再生部は、フラッシュメモリ等の駆動部を持たないメモリを有する非駆動型遅延再生ビデオ装置である。
【０００６】
　そして、本発明は、通信アダプタを備える非駆動型遅延再生ビデオ装置である。
【０００７】
　更に、本発明は、手動で記録開始時間、記録チャンネル、記録開始等の指示ができる、又は、常時自動的に記録することができる非駆動型遅延再生ビデオ装置である。
【発明の効果】
【０００８】
　本発明によれば、見る予定をしていたテレビ放映番組を都合により見られなくなった場合であっても、後から遅延再生できるとともに、記録部分を見ている時間に放映されている部分についても、見ることが可能な非駆動型遅延再生ビデオ装置を得ることができる。
【発明を実施するための最良の形態】
【０００９】
　本発明を実施するための最良の形態を説明する。
　本発明の非駆動型遅延再生ビデオ装置の実施例について、図１〜図３を用いて説明する。図１は、参考例１の非駆動型遅延再生テレビ装置の説明図である。図２は、参考例１の非駆動型遅延再生テレビ装置のエンドレス記録／再生部の動作説明図である。図３は、参考例２の非駆動型遅延再生テレビ装置のエンドレス記録／再生部の動作説明図である。
【００１０】
　参考例１を説明する。本参考例の非駆動型遅延再生テレビ装置は、図１に示すように、テレビ本体部１と、エンドレス記録／再生部２と、記録／再生制御部３と、外部媒体記録／再生部４と、リモートコントロール７と、通信アダプタ部８と、を備えている。テレビ本体部１は、テレビ機能を実行する。エンドレス記録／再生部２は、１つ以上のメモリを有し、そして、例えばラップアラウンド記録方式を採用して、常時テレビ放映番組内容を記録しており、所定の時間ｔ、例えば３時間、経過すると最初の部分を消去し、その消去部分上に記録する。そのため、一定時間ｔだけさかのぼった過去の時点から記録した内容について、再生することが可能である。また、記録している間、記録終了となることはない。使用する媒体は非駆動型(静止型)であり、フラッシュメモリ等の媒体を駆動することなく記録する。記録／再生制御部３は、エンドレス記録／再生部２を制御する。外部媒体記録／再生部４は、外部媒体５を使用するとき、記録し再生する。外部媒体５は、エンドレス記録／再生部２と同様にテレビ放映番組内容を記録することができる。リモートコントロール７は、使用者からのテレビ装置への記録予約内容等の指示を送信する。通信アダプタ部８は、公衆回線を介して、外部にいる使用者が携帯電話機９等を使用し予約内容等の指示を受信し、テレビ本体部１等の制御信号に変換する。なお、本参考例の非駆動型遅延再生テレビ装置は、手動で記録開始時刻、記録チャンネル、記録開始等の指示ができるように、そして、常時自動的に記録することができるようにすることは可能である。
【００１１】
　参考例１の非駆動型遅延再生テレビ装置について、具体的に説明する。テレビ放映番組は、常時エンドレス記録／再生部２に記録されている。エンドレス記録／再生部２は、一定時間ｔ、例えば３時間、記録すると、容量がフルに記憶されることとなるが、ラップアラウンドして記憶することができる。このため、見る予定をしていたテレビ放映番組を都合により見られなくなった場合であっても、一定時間ｔ、例えば３時間、以内であれば、放映番組はエンドレス記録／再生部２に記録されているため、後から遅延して再生することができ、見る予定をしていたテレビ放映番組を実際に見ることが可能となる。図２において、エンドレス記録／再生部５は、まず、記録Ａを開始する。再生を開始する場合は、記録を続行したまま、最も古い記録部分から再生Ｂを行う。
【００１２】
　参考例２を説明する。本参考例の非駆動型遅延再生テレビ装置は、図１に示すように、テレビ本体部１、エンドレス記録／再生部２、記録制御部３、外部媒体記録／再生部４、リモートコントロール７、通信アダプタ部８を備えている。エンドレス記録／再生部２は、記録した内容を読出し、テレビ本体部１で再生する。エンドレス記録／再生部２は、実施例１とは相違しており、２つのメモリａ、ｂを有しており、そして、２つのメモリａ、ｂは、互いに独立して記録し再生することができる。なお、本参考例の非駆動型遅延再生テレビ装置も、手動で記録開始時刻、記録チャンネル、記録開始等の指示ができるように、そして、常時自動的に記録することができるようにすることは可能である。
【００１３】
　参考例２における非駆動型遅延再生テレビ装置は、参考例１と同様に、番組放映途中からでも、番組最初から、そして、番組放映最後まで見ることができる機能を有している。本実施例において、エンドレス記録／再生部２ｂのメモリａは、番組最初から記録する。使用者が帰宅して番組当初から再生すると、図３に示すように、メモリａは番組最初から再生するとともに、メモリｂは、以後の同一番組を並行的に記録する。２つのメモリａ、ｂは、互いに独立して記録し再生することができるからである。メモリａの記録部分をすべて再生すると、次にメモリｂの記録部分を再生する。その際、メモリａは、再度記録する。以下これを繰り返すことにより、番組放映途中からでも、番組最初から、そして、番組最後まで見ることができることとなる。なお、エンドレス記録／再生部２ｂのメモリは２以上有していれば、番組最初から番組放映最後まで見ることができる。
【００１４】
　実施例の非駆動型遅延再生ビデオ装置を説明する。参考例１及び２として、非駆動型遅延再生テレビ装置で説明したが、テレビ装置等に接続して使用し、かつ、ビデオ本体部と、エンドレス記録／再生部、記録／再生制御部を備え、更に再生部を備える非駆動型遅延再生ビデオ装置でも、同様に、見る予定をしていたテレビ放映番組を都合により見られなくなった場合であっても、後から遅延再生できるとともに、記録部分を見ている時間に放映されている部分についても、見ることができる。
【図面の簡単な説明】
【００１５】
【図１】参考例１の非駆動型遅延再生テレビ装置の説明図。
【図２】参考例１の非駆動型遅延再生テレビ装置のエンドレス記録／再生部の動作説明図。
【図３】参考例２の非駆動型遅延再生テレビ装置のエンドレス記録／再生部の動作説明図。
【符号の説明】
【００１６】
　１　テレビ本体部
　２　エンドレス記録／再生部
　３　記録／再生制御部
　４　外部媒体記録／再生部
　５　外部媒体
　７　リモートコントロール
　８　通信アダプタ